(57)【特許請求の範囲】
【請求項１】
伸縮性と柔軟性のあるエラストマーの素材で形成される足指間パッドであって、
足の親指に嵌合し第２指である人差し指との指間パッド部となる大径の嵌合リング部を設け、
第４指の薬指に嵌合し第３指及び小指との指間パッド部となる小径の嵌合リング部を設け、
前記両リングを繋ぎ足裏に位置する基礎部を設け、
該基礎部は第２指の人差し指と第３指の中指とを嵌合するとともに、
その中間位置に第２指と第３指で挟むように突出する指間パッド部となる突出部を設けて、
５本の足指間の全てに指間パッド部を介在させ、前記基礎部及び両嵌合リング部の指挿入側は各指の付け根に接するように湾曲する嵌合アーチ部を形成し、
前記大径の嵌合リング部の下側リング部及び第２指の底厚より、第３指から第５指にかけての底厚を厚くし、小指及び第４指側の方の床からの高さが親指側の高さよりも若干高くしたことを特徴とする足指間パッド。
【請求項２】
前記エラストマーには伸縮性に富んだスチレン系エラストマーであることを特徴とする請求項１に記載の足指間パッド。
【請求項３】
前記エラストマーには銀系無機抗菌剤を含有させたことを特徴とする請求項１又は２に記載の足指間パッド。
【発明の詳細な説明】
【技術分野】
【０００１】
本発明は、足指に装着して足指の間に指間パッド部を介在させ、直立した姿勢及び歩行姿勢を矯正して、歩行時、運動時に良い姿勢が保たれ運動効率を向上させる指間パッドに関するものである。
【背景技術】
【０００２】
従来より、足指間にパッドを挟む足指パッドは多く提案されており、例えば、足指の血行促進等のために足指間にパッドを挟む足指パッドは特許文献１の特開２００８−１２０７７号等に提案されており、この足指パッドは隣接の足指間に挿入する円柱形のパッド本体を紐状体でつないでいる。また、革靴内で蒸れる足指を抗菌および防臭し、足指の汗による不快感を除くために特許文献２の登録実用新案第３０２１０９６号が提案されているが、この足指パッドは、いずれも足指の付け根部の下側に配置するが、足指間に入り込むパッドは４本ではあるが、いずれも短冊状の板体である。
これらの足指間にパッドを挟む形式のものは、指から外れやすいため、隣り合う指に足指リングを設けて、隣り合う足指間にパッドを設けたものも、外反母趾の矯正等の変形の矯正、ないし予防の足指補助用具として、例えば、特許文献３の特開2007-313043号が提案されている。
【０００３】
上記の足指パッドは、足指の血行促進や足指の変形の矯正、ないし予防のためで、姿勢の矯正や身体のバランスを安定させるものではない。
そこで、足先支持パッドを身体のバランスが安定化する足先支持パッドとして、特許文献４の登録実用新案第３１７０１１２号も提案されている。
この足指パッドは、足指の付け根部の下側に嵌め込む形式で、足裏における触球部の上辺から少なくとも第２指、第３指、第４指、小指(第５指)の指頭部下辺までの間に配置させる水平部と、少なくとも第２指と第３指との間、第３指と第４指との間、第４指と小指との間にそれぞれ入り込む第１、第２および第３凸状部とを有し、水平部の上面および３個の凸状部の両側面は各指の付け根部の下側と密接できるように全体がなだらかに湾曲するものである。
【先行技術文献】
【特許文献】
【０００４】
【特許文献１】特開２００８−１２０７７号公報
【特許文献２】登録実用新案第３０２１０９６号号公報
【特許文献３】特開２００７−３１３０４３号公報
【特許文献４】登録実用新案第３１７０１１２号公報
【発明の概要】
【発明が解決しようとする課題】
【０００５】
前掲の登録実用新案第３１７０１１２号の足先支持パッドは、身体のバランスを安定化させる作用はあるものの充分ではなく、また、３個の凸状部であるので親指と人差し指との間に指間パッドがなく、何よりも、足裏から外れやすいといった問題点があった。
本発明は、前述の問題点に鑑みなされたもので、全ての足指間にパッドを介在させ、前掲の従来の足先支持パッドよりも、全部の足指を適度に刺激し、足指が体のバランスを維持して踏ん張り力が生まれ、足指でパッドを挟む力が生まれ、バランスの良い姿勢を保つ力が生まれ、歩行時、運動時に良い姿勢が保たれ運動効率が向上する足指間パッドを提供しようとするものである。
【課題を解決するための手段】
【０００６】
上記課題を解決するために、請求項１の発明は、伸縮性と柔軟性のあるエラストマーの素材で形成される足指間パッドであって、足の親指に嵌合し第２指である人差し指との指間パッド部となる大径の嵌合リング部を設け、第４指の薬指に嵌合し第３指及び小指との指間パッド部となる小径の嵌合リング部を設け、前記両リングを繋ぎ足裏に位置する基礎部を設け、該基礎部は第２指の人差し指と第３指の中指とを嵌合するとともに、その中間位置に第２指と第３指で挟むように突出する指間パッド部となる突出部を設けて、５本の足指間の全てに指間パッド部を介在させ、前記基礎部及び両嵌合リング部の指挿入側は各指の付け根に接するように湾曲する嵌合アーチ部を形成し、前記大径の嵌合リング部の下側リング部及び第２指の底厚より、第３指から第５指にかけての底厚を厚くし、小指及び第４指側の方の床からの高さが親指側の高さよりも若干高くしたことを特徴とする足指間パッドである。
請求項２の発明は、前記エラストマーには伸縮性に富んだスチレン系エラストマーであることを特徴とする請求項１に記載の足指間パッドである。
請求項３の発明は、前記エラストマーには銀系無機抗菌剤を含有させたことを特徴とする請求項１又は２に記載の足指間パッドである。
【発明の効果】
【０００７】
請求項１の足指間パッドの発明によれば、５本の足指間の全てに指間パッド部が介在するので、これらの全部の足指を適度に刺激し、足指が体のバランスを維持して踏ん張り力が生まれ、足指でパッドを挟む力が生まれる。特に、大径の嵌合リング部の下側リング部の肉厚及び第２指の底厚ｈ１よりも、第３指(中指)ｃから第５指(小指)ｅにかけて底厚ｈ２を若干高く設計したことで内股に体重がかかるようにし、日本人に多いＯ脚傾向をＸ脚傾向に無理なく矯正し、バランスの良い姿勢を保つ力が生まれる。
また、基礎部及び両嵌合リング部の指挿入側は各指の付け根に接するように湾曲する根本アーチ部を形成しているので、足指の付け根部の下側に足指パッドが安定して嵌められ、足裏アーチが安定することで足をしっかり踏ん張ることができ、歩行時に足への衝撃が緩和されるため、膝痛や股関節痛の強い痛みを緩和できる。  したがって、歩行時、運動時に良い姿勢が保たれ運動効率が向上し、結果として、この足湯部パッドを嵌めるだけで身体の首部や肩部などの疲れが軽減する。
請求項２の足指間パッドの発明によれば、前記エラストマーを伸縮性に富んだスチレン系エラストマーとしたので、男女を問わず大概のサイズに合うようにできる。
請求項３の足指間パッドの発明によれば、材質のエラストマーに抗菌性や防臭性を有するので、衛生的な足指間パッドとなる。
【図面の簡単な説明】
【０００８】
【図１】本発明の右足用の足指間パッドを右足指に装着した状態の斜射図、
【図２】図２(ａ)は、右足用の足指間パッドを装着した状態の断面図であり、図２(ｂ)は、右足用の足指間パッドを装着した足裏からの背面図、
【図３】図３(a)は、本発明の右足用の足指間パッドの上から平面図、図３(b)は(a)で１５°傾けた状態での正面図、
【図４】図３(ａ)でのＡ−Ａ線での縦断面図、
【図５】図３(ｂ)でのＢ−Ｂ線での縦断面図、
【図６】図３(ｂ)でのＣ−Ｃ線での縦断面図、
【図７】図３(ｂ)でのＤ−Ｄ線での縦断面図、
【図８】図３(a)で傾けない正面図、
【図９】図８(ｂ)でのＥ−Ｅ線での横断面図、
【図１０】図２(ａ)でのＦ−Ｆ線での横断面図、
【図１１】本発明の足指間パッドの実物の斜め上方からの写真である。
【発明を実施するための形態】
【０００９】
本発明の足指間パッドの好適な実施例を図面を参照して説明する。
[実施例１]
図１は、本発明の実施例の右足用の足指間パッド１を右足指に装着した状態の斜視図である。足指間パッド１の材質・素材は伸縮性・柔軟性・弾力性があるエラストマーで、本実施例の足指間パッド１はスチレン系エラストマーで充分に縮性・柔軟性・弾力性があり男女の足のサイズを問わず大概の足指にフィットする。また、エラストマーには銀系無機抗菌剤を含有させ抗菌性や防臭性を有する衛生的な足指間パッドとなる。
図１及び図２(ａ)において、第１指ａである親指に親指用の大径の円形リング部３を挿入して嵌合し、第４指ｄである薬指に小径の嵌合リング部４を挿入して嵌合し、基礎部２に設けた突出部５を第２指ｂの人差し指と第３指ｃの中指とで挟むように装着する。
この状態を図２に示すと、図２(a)の右足用の足指間パッド１を装着した状態の中間高さでの断面図に示すように、第１指ａと第２指ｂの人差し指の間には嵌合リング部３の側部３１が指間パッド部となって介在し、第２指ｂと第３指ｃの薬指との間には突出部５が指間パッド部となって介在し、第３指ｃと第４指ｄとの間には嵌合リング部４の一方の側部４１が指間パッド部となって介在し、第４指ｄと第５指の小指との間には嵌合リング部４の他方の側部４２が指間パッド部となって介在し、５本の足指間の全てに指間パッド部を介在するのようになる。
【００１０】
この足指間パッド１の装着方法と装着位置を、図２(ｂ)の右足用の足指間パッドを装着した足裏からの背面図で説明すると、足指間パッド１の基礎部２は床に接地するほぼ水平な足裏面２１が設けられ、両端には大径の嵌合リング部３及び、小径の嵌合リング部４が配置され、足指間パッド１の足指付け根部ｆ側に接する部分は、足指付け根部f1,f2,f3,f4に根本アーチ部Ｇに沿って湾曲する嵌合アーチ部２２が形成され、先ず、大径の円形リング部３を第１指(親指)aに挿入し、小径の嵌合リング部４を第４指(薬指)ｄに挿入しながら、この嵌合アーチ部２２をこれら４箇所の足指付け根部f1,f2,f3,f4に沿うようになるまで足指間パッド１を奥まで挿入する。
【００１１】
次に、更に足指間パッド１の構成の詳細を、図３乃至図９に沿って説明する。
図３(a)は、右足用の足指間パッド１の上から見た平面図で、図３(b)は(a)で１５°傾けた状態での正面図である。これは、第１指である親指の向きに対して、他の４本の向きは同じであっても、足指の付け根は水平位置ではなく、平均で約１５°傾いているので、これに合わせて図３のように１５°に人差し指以下の４本の足指の付け根を配置すれば、気持ちよく足指間パッド１が足指にフィットするようになる。
足指間パッド１の親指側から薬指までの幅Ｘ１＝６９.２６mmであるが、靴のサイズと同様に、この前後の幅を用意しておいても良い。
基礎部２の左側端には第１指(親指用)ａの大径の円形リング部３を設け、この大径の円形リング部３は足の第１指(親指)ａに嵌合して確実に足指間パッド１に固定するとともに、この大径の嵌合リング部３の側部３１が第２指bとの指間パッド部Ｐ１を形成する。この大径の嵌合リング部３の内径は、図３、図５を参照して説明すると、Ｘ２＝１６mm程度で側部４１の厚さはＸ３＝３mm程度であるが、前述したように、足指間パッド１自体の素材が伸縮性・柔軟性・弾力性に富んだシリコンのエラストマーであるので、通常の人の親指に装着できるとともに、側部３１が指間パッド部Ｐ１ともなる。
なお、大径の嵌合リング部３の内径をＸ２＝１６mm程度としたが、装着する人が苦痛を感じない程度の１４〜２０mmの間で適宜設定すればよい。
また、図９に示すように、大径の嵌合リング部３の外側の幅はＹ１＝２０mm程度であり、第２指ｂに接する内側の幅はＹ２＝１５mm程度である。
【００１２】
図３(ｂ)で、基礎部２の右側端には第４指(薬指用)ｄの小径の円形リング部４を設け、この小径の円形リング部４は足の第４指(薬指)ｄに嵌合して、第１指(親指)ａに嵌合と相俟って、さらに確実に足指間パッド１に固定する。
そして、この小径の嵌合リング部４の一方の側部４１が第３指(中指)ｃとの間に指間パッド部Ｐ３を形成し、更に、他方の側部４２も第５指(小指)ｅとの間に指間パッド部Ｐ４を形成する。
この小径の嵌合リング部４の内径は、図３,図７を参照して説明すれば、Ｘ４＝１１mm程度で側部４１の厚さはＸ５＝５mm程度であるが、前述したように、足指間パッド１自体の素材が伸縮性・柔軟性・弾力性に富んだシリコンのエラストマーであるので、通常の人の親指に装着できるとともに、側部４１,４２が指間パッド部Ｐ３,Ｐ４ともなる。
なお、小径の嵌合リング部４の内径をＸ４＝１１mm程度としたが、装着する人が苦痛を感じない程度の９〜１６mmの間で適宜設定すればよい。
また、図９に示すように、小径の嵌合リング部４の第３指に接する幅はＹ３＝１５mm程度であり、第５指(小指)eに接する幅もＹ４＝１５mm程度である。
【００１３】
図２、図３に示すように、基礎部２は足裏に位置して下面が水平な足裏面２１が設けられ、両端には大径の嵌合リング部３と小径の嵌合リング部４が配置され両リングを繋いでおり、この基礎部２は第２指(人差し指)ｂと第３指(中指)ｃとを嵌合するとともに、その中間位置に第２指と第３指で挟むように上側に突出する指間パッド部Ｐ２となる突出部５を設けてある。
また、基礎部２の足指間パッド１の足指付け根部ｆ側に接する部分は、足指付け根部ｆ,f1,f2,f3,f4に根本アーチ部Ｇに沿って湾曲する嵌合アーチ部２２が形成されおり、図１０に示すように、図２(ａ)でのＦ−Ｆ線での横断面でも足並の縦アーチ部Ｇも形成するので、装着時には足裏の足指間パッド１がフィットするようになる。
基礎部２の上側に突出する突出部５の高さは、図６の断面図で示すように、Ｘ６＝９〜１６mm程度で根本部５１と上部５２の断面積が大きく、中間部５３が細くびれていて、このくびれで第２指及び第３指を固定する形状となっており、突出部５の上部５２の幅は図７に示すようにＹ５＝８mm程度でくびれた中間部５３の幅Ｙ６＝６mm程度である。
また、図８、図９、図１０に示すように、突出部５の根本部５１から中間部５３にかけて、内側に肉厚を大きくした膨出部５４が形成され、この結果、図１０に示すように横アーチＨが形成され、足指に装着すると気持ちが良く、且つ、指先に力が入るため踏ん張り力が発生し、装着時には足裏の足指間パッド１がフィットするようになる。
【００１４】
全体構成として、図８に示すように、大径の嵌合リング部３の第１指(親指)ａの下側リング部３２から第２指(人差し指)ｂにかけての底厚ｈ１を１.５mmから２.５mm、本実施例ではｈ１＝２mmよりも、第３指(中指)ｃから第５指(小指)ｅにかけて底厚ｈ２＝２.５〜４mm、本実施例ではｈ２＝３mmと床や地表から高さを高く設計し、このように第３指(中指)ｃから第５指(小指)ｅにかけて底厚ｈ２を親指側よりも若干高く設計したことで内股に体重がかかるようにし、日本人に多いＯ脚傾向をＸ脚傾向に無理なく矯正し、また、図１０に示すように横アーチＨも形成され、指先に力が入るため踏ん張り力が発生し、その結果、バランスの良い姿勢を保つ力が生まれる。
本実施例の材質は、伸縮性・柔軟性・弾力性があり、特に伸縮性に富んだスチレン系エラストマーとしたが、人肌に合うのであれば、他の伸縮性・柔軟性・弾力性がある合成樹脂のスチレンゴム、ポリウレタン、塩化ビニル、ポリエチレン、ＥＶＡ、ビスコーススポンジなどを用いてもよい。
さらに、本実施例では、材質のエラストマーに銀系無機抗菌剤を含有させたが、これに代えて、他の抗菌剤、防臭剤、消毒剤、抗真菌剤、抗白癬菌剤などを含有させてもよい。また、足指の肌を綺麗にするためにプラセンタやコラーゲンを含有せても良く、血行を良くするために、ブラックシリカやゲルマニウムを含有させても良い。
図１１は、本発明の実施例の足指間パッドの実物を、斜め上方からの撮した写真で無色半透明であるが、この無色半透明に限定されることはなく、他の色、例えば、肌色やピンクにしてもよく、ファンション性を持たしてもよく、伸縮性があることから足指に違和感なく自然にフィットする。
なお、本実施例は右足用の足指間パッド１を説明したが、勿論、左足用の足指間パッド１は上述した構成とは、左右対称となるので、説明は省略する。
【００１５】
以上説明したように、本発明の足指間パッド１の実施例によれば、５本の足指間の全てに指間パッド部Ｐ１,Ｐ２,Ｐ３,Ｐ４が介在するので、これらの全部の足指を適度に刺激し、足指が体のバランスを維持して踏ん張り力が生まれ、足指でパッドを挟む力が生まれる。特に、大径の嵌合リング部３の下側リング部３２の底厚及び第２指(人差し指)の底厚ｈ１より、第３指(中指)ｃから第５指(小指)ｅにかけての底厚ｈ２、すなわち小径の嵌合リング部４の下側リング部４３の底厚、第４指、及び、第３指ｃの底厚ｈ２を厚くし、小指側の方の床や地面のから高さをが親指側の高さよりも若干高くしたので、日本人に多いＯ脚傾向をＸ脚傾向に無理なく矯正し、バランスの良い姿勢を保つ力が生まれる。
また、基礎部２及び両嵌合リング部３，４の指挿入側は各指の付け根に接するように湾曲する嵌合アーチ部２２を形成しているので、足指の付け根部の下側に足指パッドが安定して嵌められ、足裏の根本アーチ部Ｇが安定することで足をしっかり踏ん張ることができ、歩行時に足への衝撃が緩和されるため、膝痛や股関節痛の強い痛みを緩和できる。
さらに、
【００１６】
すなわち、本実施例の足指間パッドを装着するだけで、足指感覚がより繊細になり地面が掴みやすく、バランス感覚が良く成る事で運動神経の向上につながり、姿勢や歩行については、カラダの基礎である足底筋群が発達し、それに伴って姿勢が自然と改善に向い、首・肩の疲れについては、足の指で踏ん張るとカラダの重心が正常になり、頭の位置が高くなり、スタイルが良くなることで首・肩への負担が軽減され、膝痛・股関節の改善についても、歩行時に衝撃が吸収され前後は勿論、左右のバランスが安定しムダな力が膝にかかり難くなったり、立ち仕事でも疲れ難くなり、更に、腰の疲れについても、体の重心が正常になり、腰が正しい位置にサポートされ、腰への衝撃を軽減される。
このように、歩行時、運動時に良い姿勢が保たれ運動効率が向上し、結果として、この足指間パッド１を左右の足指嵌めるだけで身体の首部や肩部などの疲れが軽減する。
なお、本発明の特徴を損うものでなければ、上記の実施例に限定されるものでないことは勿論である。
【符号の説明】
【００１７】
ａ・・第１指(親指)、ｂ・・第２指(人差し指)、ｃ・・第３指(中指)、
ｄ・・第４指(薬指)、ｅ・・第５指(小指)、
ｆ，ｆ１，ｆ２，ｆ３，ｆ４・・足指付け根部、Ｇ・・根本アーチ部、
Ｈ・・横アーチ部、
Ｐ１,Ｐ２,Ｐ３,Ｐ４・・指間パッド部、
１・・足指間パッド、
２・・基礎部、２１・・足裏面、２２・・嵌合アーチ部、
３・・大径の円形(嵌合)リング部、３１・・側部、３２・・下側リング部、
４・・小径の円形(嵌合)リング部、４１・・一方の側部、４２・・他方の側部、
４３・・下側リング部、
５・・突出部、５１・・根本部、５２・・上部、５３・・中間部、
５４・・根本膨出部、
【要約】
【課題】足指に装着して足指の間に指間パッド部を介在させ、直立した姿勢及び歩行姿勢を矯正して、歩行時、運動時に良い姿勢を保つ足指間パッドを提供する。
【解決手段】
伸縮性・柔軟性のあるエラストマーで形成される足指間パッドで、足の親指に嵌合し指である人差し指との指間パッド部となる大径の嵌合リング部を設け、薬指に嵌合し中指及び小指との指間パッド部となる小径の嵌合リング部を設け、両リングを繋ぎ足裏に位置する基礎部を設け、人差し指と中指とを嵌合し、その中間位置に人差し指と中指で挟むように突出する指間パッド部となる突出部を設け、基礎部及び両嵌合リング部の指挿入側は各指の付け根に接するように湾曲する嵌合アーチ部を形成し、大径の嵌合リング部の底厚より、小径の嵌合リング部の底厚を厚くし、小指及び中指側の床からの高さが親指側の高さよりも若干高くした足指間パッド。
【選択図】図１【図１】
0005646006.tif 000002
【図２】
0005646006.tif 000003
【図３】
0005646006.tif 000004
【図４】
0005646006.tif 000005
【図５】
0005646006.tif 000006
【図６】
0005646006.tif 000007
【図７】
0005646006.tif 000008
【図８】
0005646006.tif 000009
【図９】
0005646006.tif 000010
【図１０】
0005646006.tif 000011
【図１１】
0005646006.tif 000012